(57)【要約】【課題】ショットされたボールの逆回転速度を増加させ、ボールの制御機能を高めるクラブヘッドを提供する。【解決手段】クラブヘッド本体１０は、打球面に陥没溝１１を有し、陥没溝１１は打球面の底壁に突出する複数の支持部１２を有する。隣り合う支持部１２の間の空間は内側スコアライン１３を形成する。打球面板２０に凹状に形成される外側スコアライン２１の位置は、内側スコアライン１３の位置に対応する。打球面板２０上の「支持部１２に支持されない部位」は、支持力が及ばず、変形可能である。ボールＣをショットする際、打球面板２０上の「支持部１２に支持されない部位」が変形することによってボールの制御機能を高めることができる。【選択図】図２
2011031024.tif 000002
【特許請求の範囲】
【請求項１】
打球面の底壁に突出する複数の支持部が設けられる陥没溝を有するクラブヘッド本体と、
前記クラブヘッド本体の前記陥没溝の位置に嵌合して固定され、前記クラブヘッド本体側の面が前記支持部の先端に当接して支持される打球面板と、
を備え、
隣り合う前記複数の支持部の間に複数の内側スコアラインが形成されるとともに、前記打球面板の前記クラブヘッド本体と反対側の面に凹状の複数の外側スコアラインが形成されることで、前記複数の内側スコアラインと前記複数の外側スコアラインとの二層のスコアラインを有することを特徴とするクラブヘッド。
【請求項２】
前記複数の外側スコアラインは、前記複数の内側スコアラインの位置に対応する位置に形成されることを特徴とする請求項１に記載のクラブヘッド。
【請求項３】
前記複数の内側スコアラインは、横方向に形成されることを特徴とする請求項１に記載のクラブヘッド。
【請求項４】
前記複数の外側スコアラインは、横方向に形成されることを特徴とする請求項３に記載のクラブヘッド。
【請求項５】
前記複数の外側スコアラインは、縦方向に、または傾斜して形成されることを特徴とする請求項３に記載のクラブヘッド。
【請求項６】
前記複数の内側スコアラインは、縦方向に、または傾斜して形成されることを特徴とする請求項１に記載のクラブヘッド。
【請求項７】
前記複数の外側スコアラインは、横方向に形成されることを特徴とする請求項６に記載のクラブヘッド。
【請求項８】
前記複数の外側スコアラインは、縦方向に、または傾斜して形成されることを特徴とする請求項６に記載のクラブヘッド。
【請求項９】
隣り合う前記支持部間の距離は等しいことを特徴とする請求項１から請求項８のいずれか一項に記載のクラブヘッド。
【請求項１０】
隣り合う前記支持部間の距離は異なることを特徴とする請求項１から請求項８のいずれか一項に記載のクラブヘッド。
【発明の詳細な説明】
【技術分野】
【０００１】
本発明は、ゴルフクラブヘッドに関する。
【背景技術】
【０００２】
クラブヘッドの打球面に陥没状のスコアラインを配置することは一般的である。スコアラインを配置する目的は、ショットされたボールを逆回転（back spin）させることによってボールが地面に接してから制止するまでの距離を縮減し、ボールの制御機能を高めることにある。またこのような打球面には変形現象が発生せず、ボールが打球面板に接触する時間が短いため、ボールを逆回転させる動力はスコアラインとボールとを直接に摩擦させることによって生じる。
【０００３】
スコアラインとボールの表面に横向きの摩擦を生じさせ、５番アイアンを使い打球マシーンの打球速度７５ｍｐｈ（マイル毎時）でテストを行った結果、ボールの回転数は５８００ｒｐｍであり、総飛距離は１８４ヤードであり、ランは９ヤードである。このような構造は基本機能を果たすことができるが、ボールの制御効果はあまり好ましくない。
【０００４】
台湾特許４３９５１３号公報による「クラブヘッドの打球面上の埋め込み式スコアライン」は、埋め込み式スコアラインの技術を開示した。この発明によると、打球面を変形させることによってボールが打球面板に止まる時間を増加させる。しかしながら、当該発明は埋め込み式スコアラインに対応して打球面板の構造を特定するものではない。そのため、変形可能な打球面板が変形し復元する際に生じる弾力効果を相乗的に利用することができない。また、埋め込み式スコアラインと外部のスコアラインとの組み合わせによって打球面板のボールをキャッチする機能を増加させることができない。
【先行技術文献】
【特許文献】
【０００５】
【特許文献１】台湾特許４３９５１３号公報
【発明の概要】
【発明が解決しようとする課題】
【０００６】
本発明の主な目的は、ショットされたボールの逆回転速度を増加させ、ボールの制御機能を高めるクラブヘッドを提供することである。
【課題を解決するための手段】
【０００７】
上述の目的を達成するために、本発明によるクラブヘッドは、クラブヘッド本体および打球面板を備える。
クラブヘッド本体は、打球面に陥没溝を有し、陥没溝には打球面の底壁に突出する複数の支持部が設けられる。隣り合う複数の支持部の間に複数の内側スコアラインが形成される。
打球面板は、クラブヘッド本体と反対側の面である正面に複数の外側スコアラインを有する。打球面板はクラブヘッド本体の陥没溝の位置に嵌合して固定され、クラブヘッド本体側の面である背面が支持部の先端に突き当たる。
【０００８】
本発明によるクラブヘッドは、内側スコアラインと外側スコアラインとの二層のスコアラインを有し、二層のスコアラインの構造によって打球の際に打球面板を変形させ、ショットされたボールの逆回転速度を増加させることができる。
【図面の簡単な説明】
【０００９】
【図１】本発明の一実施形態によるクラブヘッドを示す外観図である。
【図２】本発明の一実施形態によるクラブヘッドを示す分解斜視図である。
【図３】図１中の３−３線に沿った断面図である。
【図４】説明するためにボールを加え、図３の一部分を拡大した模式図である。
【図５】本発明の一実施形態によるクラブヘッドにおいて内側スコアアインが縦方向に配置される状態を示す分解斜視図である。
【発明を実施するための形態】
【００１０】
以下、本発明によるクラブヘッドを図面に基づいて説明する。本発明のクラブヘッドは、内側スコアラインおよび外側スコアラインの二層のスコアラインを有する。
【００１１】
（一実施形態）
図１から図５に示すように、本発明の一実施形態はアイアンのクラブヘッドを実施対象とするが、ウッドのクラブヘッドまたは別のクラブヘッドを実施対象としてもよい。
本発明の一実施形態によるクラブヘッドは、クラブヘッド本体１０および打球面板２０を備える。
【００１２】
クラブヘッド本体１０は、打球面に陥没溝１１を有し、陥没溝１１は打球面の底壁に突出する複数の支持部１２を有する。隣り合う複数の支持部１２の間には複数の内側スコアライン１３が形成される。
本実施形態では、支持部１２は横方向に形成される。他の実施形態では、支持部は縦方向に、または傾斜して形成されてもよい。また、本実施形態では、隣り合う支持部１２間の距離は等しい。他の実施形態では、隣り合う支持部１２間の距離は異なってもよい。
【００１３】
打球面板２０は、セラミックス、ステンレス、マレージング鋼（ＭＡＲＡＧＩＮＧ）またはチタン合金などの材料から構成される。打球面板２０は、正面に複数の外側スコアライン２１を有する。
【００１４】
本実施形態では、外側スコアライン２１は横方向に形成される。他の実施形態では、外側スコアラインは、縦方向に、または傾斜して形成されてもよい。
打球面板２０は、クラブヘッド本体１０の陥没溝１１の位置に嵌合して固定され、背面が支持部１２の先端に突き当たる。打球面板２０に凹状に形成される外側スコアライン２１の位置は、陥没溝１１の底壁に突出した二つの支持部１２間に凹んだ部位、即ち内側スコアライン１３の位置に対応する。打球面板２０上の「支持部１２に支持される部位」は、支持力によって変形しないように維持される。一方、「支持部１２に支持されない部位」は、支持力が及ばず、変形可能である。打球面板２０は、熔接、ろう付け、嵌合、接着などの方法、またはその組合せによって接合される。
【００１５】
上述した構造は図４に示したとおりである。従来の打球面板と比べて、本発明における打球面板２０は従来と同様に表面に外側スコアライン２１を有し、外側スコアライン２１によって打球面板とボールとの摩擦を増加させることができる。また、ボールＣをショットする際、打球面板２０上の「支持部１２に支持されない部位」が変形することによってボールの制御機能を高めることができる。
クラブヘッド本体１０は支持部１２によって打球面板２０に力を与え、打球面板２０は外側スコアライン２１によってボールを逆回転させる。支持部１２が打球面板２０に作用する力点Ａと、打球面板２０の表面の外側スコアライン２１およびボールの接触点Ｂとは位置が異なり、重ならないため、打球面板２０が変形し復元する際、力点Ａと接触点Ｂとの間に力が生じ、ショットされたボールの逆回転速度を増加することができる。
【００１６】
本発明によるクラブヘッドについて、同様に５番アイアンを使い打球マシーンの打球速度７５ｍｐｈでテストを行った結果、ボールの逆回転数は８０００ｒｐｍまで増加し、総飛距離は１５５ヤードであり、ランは３ヤードである。このテスト結果により、従来技術による外側スコアラインのみを有するクラブヘッドに比べて、本発明によるクラブヘッドは、ボールの制御機能が明らかに優れ、ボールを正確に制御する要求を満足させることが判明した。
【００１７】
上述した実施形態は、アイアンを実施対象として説明したが、これに限らず別の種類のクラブヘッドを実施対象としてもよい。
【符号の説明】
【００１８】
１０・・・クラブヘッド本体、
１１・・・陥没溝、
１２・・・支持部、
１３・・・内側スコアライン、
２０・・・打球面板、
２１・・・外側スコアライン、
Ａ・・・力点、
Ｂ・・・接触点、
Ｃ・・・ボール。
【図１】
2011031024.tif 000003
【図２】
2011031024.tif 000004
【図３】
2011031024.tif 000005
【図４】
2011031024.tif 000006
【図５】
2011031024.tif 000007